(57)【要約】【課題】暖房機能を具備した洗濯乾燥機において、暖房運転時に温風で高温度に加熱された吹出口付近の部品を、暖房運転終了後できるだけ速やかに冷却する。【解決手段】洗濯乾燥機は、水槽２に連通された循環通路３０と、空気を加熱する加熱手段４２と、加熱手段で加熱された空気を通風路４４から吹出口４３を経て本体１外へ吹出すようにした送風ファン４８と、洗濯物の洗い、脱水、乾燥運転及び暖房運転を制御する制御装置とを備えている。制御装置は、暖房運転時に、送風ファン４８を駆動して循環通路３０の導入口４０から導入した空気を加熱手段で温風化して通風路４４から吹出口４３を経て吹出し、そしてこの暖房運転終了時には、加熱手段を停止し、送風ファン４８による送風のみの送風運転を実行する。【選択図】図１
2009022570.tif 000002
【特許請求の範囲】
【請求項１】
外郭を形成する本体と、
前記本体内に弾性支持された水槽と、
前記水槽内に回転可能に設けられ、洗濯物の洗い、脱水、乾燥に用いられる回転槽と、
前記水槽に設けられた空気の出入口に連通接続され、空気を循環可能とする循環通路と、
前記循環通路に設けられ、前記本体内の空気を当該循環通路内に導入可能とする導入口と、
前記循環通路中に設けられ、前記水槽内に空気を循環供給するための循環ファンと、
前記循環通路から分岐して形成され、前記本体に形成された吹出口に連通した通風路と、
前記通風路を、前記循環通路に対して連通及び遮断状態に切替えるべく設けたダンパ装置と、
前記循環通路の前記導入口から前記循環通路内に導入される空気を加熱する加熱手段と、
暖房運転時に、前記加熱手段を介して加熱された空気を前記通風路から前記吹出口を経て前記本体外へ吹出す送風ファンと、
前記循環通路に蒸発器と凝縮器とを介在するとともに、圧縮機及び膨張弁を具備した冷凍サイクルを有し、洗濯物乾燥用の空気加熱手段として機能するヒートポンプと、
洗濯物の洗い、脱水、乾燥運転及び前記暖房運転等を制御する制御手段とを備えたものにおいて、
前記制御手段は、暖房運転時に前記ダンパ装置を、前記通風路を前記循環通路と連通させるように切替えるとともに、前記送風ファンを駆動して前記導入口から導入した空気を前記加熱手段で温風化して前記通風路から前記吹出口を経て吹出し、暖房運転終了時には、前記加熱手段を停止し、前記送風ファンによる送風のみの送風運転を実行するようにしたことを特徴とする洗濯乾燥機。
【請求項２】
室温を検知する温度センサを備え、
送風のみの送風運転は、前記温度センサが検知した室温に応じて運転時間が設定されるようにしたことを特徴とする請求項１記載の洗濯乾燥機。
【請求項３】
送風のみの送風運転時における送風温度を検知する温度センサを備え、
前記温度センサが予め設定された所定温度を検知したとき、前記送風ファンを停止するようにしたことを特徴とする請求項１記載の洗濯乾燥機。
【発明の詳細な説明】
【技術分野】
【０００１】
本発明は、暖房機能を具備した洗濯乾燥機に関する。
【背景技術】
【０００２】
従来より、洗濯乾燥機には、衣類乾燥用にヒータが具備されているものがある。又、このヒータで加熱された空気を室内に送風することにより、洗濯乾燥機を暖房機として使用することも考えられている（特許文献１参照）。
【０００３】
例えば、上記特許文献１に記載されているようなこの種の洗濯乾燥機は、外槽の下部に温風出口が設けられ、外槽の上部に吐出口が設けられ、温風出口と吐出口とを連結させて循環通路が形成されている。この循環通路中には、吹出口、温風送風機及びヒータが設けられている。そして、乾燥運転時では、ヒータで加熱された空気を温風送風機で循環通路内を循環させて内槽内の衣類の乾燥が行われ、暖房運転時では、ヒータで加熱された空気を温風送風機で吹出口から吹き出させて、室内の暖房が行われる。
【特許文献１】特開２００２−２７３０８７号公報
【発明の開示】
【発明が解決しようとする課題】
【０００４】
しかしながら、上記の暖房機能を具備した洗濯乾燥機において、吹出口付近の部品は一般に樹脂が使用されており、例えば吹出口を形成する洗濯機の本体や風向きを調整するルーバーを備えている場合は、該ルーバーが暖房運転時の温風で比較的高温状態となる。又、加熱手段（ヒータ）及び送風ファン（温風送風機）が停止して暖房運転が終了しても、これらの部品は、これらの部品自身に蓄熱された熱で高温状態がしばらく続き、その後は、自然放置により冷却（放熱）されることになる。
【０００５】
このように、樹脂材料からなる部品が特に長時間高温状態に放置され、これが繰り返し実行されることで、早期に変形や劣化が生じる虞がある。又、運転終了時後いつまでも高温度にあることは、人が触れた場合に熱いことによる違和感を与え好ましくないため、これらの部品を、暖房運転終了後に出来るだけ早く冷やすことが望ましい。
【０００６】
本発明は上述の事情に鑑みて、暖房運転時に温風で高温度に加熱された吹出口付近の部品を、暖房運転終了後できるだけ速やかに冷却することができる洗濯乾燥機を提供することを目的とする。
【課題を解決するための手段】
【０００７】
上記目的を達成するために、本発明の洗濯乾燥機は、外郭を形成する本体と、前記本体内に弾性支持された水槽と、前記水槽内に回転可能に設けられ、洗濯物の洗い、脱水、乾燥に用いられる回転槽と、前記水槽に設けられた空気の出入口に連通接続され、空気を循環可能とする循環通路と、前記循環通路に設けられ、前記本体内の空気を当該循環通路内に導入可能とする導入口と、前記循環通路中に設けられ、前記水槽内に空気を循環供給するための循環ファンと、前記循環通路から分岐して形成され、前記本体に形成された吹出口に連通した通風路と、前記通風路を、前記循環通路に対して連通及び遮断状態に切替えるべく設けたダンパ装置と、前記循環通路の前記導入口から前記循環通路内に導入される空気を加熱する加熱手段と、暖房運転時に、前記加熱手段を介して加熱された空気を前記通風路から前記吹出口を経て前記本体外へ吹出す送風ファンと、前記循環通路に蒸発器と凝縮器とを介在するとともに、圧縮機及び膨張弁を具備した冷凍サイクルを有し、洗濯物乾燥用の空気加熱手段として機能するヒートポンプと、洗濯物の洗い、脱水、乾燥運転及び前記暖房運転等を制御する制御手段とを備えたものにおいて、前記制御手段は、暖房運転時に前記ダンパ装置を、前記通風路を前記循環通路と連通させるように切替えるとともに、前記送風ファンを駆動して前記導入口から導入した空気を前記加熱手段で温風化して前記通風路から前記吹出口を経て吹出し、暖房運転終了時には、前記加熱手段を停止し、前記送風ファンによる送風のみの送風運転を実行するようにしたことを特徴とする（請求項１の発明）。
【発明の効果】
【０００８】
上記手段によれば、ダンパ装置の切替えにより通風路を循環通路と連通させ、送風ファンを駆動して導入口から導入した空気を加熱手段で温風化して通風路から吹出口を経て外部（室内）に吹出させて暖房運転を行うことができる。
【０００９】
そして、暖房運転終了時に、加熱手段を停止し、送風のみの送風運転を実行することにより、暖房運転の高温状態にある温風の吹出口付近の部品は、送風ファンの送風で強制的に冷却される。従って、これらの部品を暖房運転終了後できるだけ速やかに冷却することができ、樹脂製部品であれば早期劣化等を回避でき、又、使用者が触れても熱いと感じるような違和感を与えることがない。
【発明を実施するための最良の形態】
【００１０】
（第１の実施形態）
以下、本発明をドラム式の洗濯乾燥機に適用した第１実施例につき、図１乃至図７を参照して説明する。
まず、図１には、洗濯乾燥機の全体構成が示されており、外郭を形成してなる本体１の内部には、水槽２が配設され、水槽２の内部には、洗濯物の洗い、脱水、乾燥に用いられる回転槽たるドラム３が配設されている。
【００１１】
上記本体１を形成する天板１ａ、前面板１ｂ及び台板１ｃは樹脂製で、他の側板１ｄ及び背板１ｅは金属製として構成されている。
上記水槽２及びドラム３は、ともに横軸円筒状をなすもので、前側（図中、左側）の端面部にそれぞれの開口部４，５を有している。このうち、ドラム３の開口部５は洗濯物（衣類）の出し入れ用であり、それを水槽２の開口部４が囲繞している。水槽２の開口部４は、本体１の前面部に形成した洗濯物の出し入れ用の開口部６にベローズ７が接続され、又、該本体１の開口部６には扉８が開閉可能に設けられている。
【００１２】
ドラム３の周側部（胴部）の略全域には、小孔９が形成されている（一部のみ図示）。小孔９は、洗濯時及び脱水時に通水孔として機能し、乾燥時には通風孔として機能するようになっている。そのほか、ドラム３の周側部の内面には、洗濯物撹拌用のバッフル１０が複数個設けられている。
【００１３】
前記水槽２には、前端面の上方部位に温風出口１１が形成され、後端面の上方部位に温風入口１２が形成されている。このほか、水槽２の底部の後部には、排水口１３が形成されており、この排水口１３には、水槽２外で排水弁１４と接続され、更に、排水弁１４に排水ホース１５が接続され、これらにより水槽２内の水を本体１外に排出するようにしている。
前記ドラム３の後端面（背面）の中心部には、回転軸１６の一端が連結固定され、他端は、水槽２の後側の端面部の中心部を回転可能に挿通して後方へ突出されている。ドラム３の後端面の中心部周りには、多数の温風導入孔１７が形成されている。
【００１４】
前記水槽２の後端面（背面）には、モータ１８が取付けられている。モータ１８は、アウターロータ形であり、更に、この場合、ブラシレスＤＣモータであって、そのロータ２０は前記回転軸１６に連結固定されている。この構成により、ドラム３は回転軸１６を中心にモータ１８によりダイレクトに回転される。
尚、水槽２は、複数（１つのみ図示）のサスペンション１９により本体１の底面上に弾性支持されており、その支持形態は、水槽２の軸方向が前後となる横軸状で、しかも前上がりの傾斜状であり、従って、ドラム３も同形態となっている。
【００１５】
本体１の台板１ｃ内には取付基板３３が配置され、この取付基板３３上には、後述する循環通路３０の一部を構成する熱交換ダクト２１が設置されている。この熱交換ダクト２１の前端部の上部には、吸込口２２が形成されている。吸込口２２は、蛇腹状の接続ホース２３及び排気ダクト２４を介して、水槽２の温風出口１１に接続されている。尚、排気ダクト２４は、水槽２の左側前面を迂回するように配管されている。
【００１６】
一方、熱交換ダクト２１の後端部には、循環用送風機２５のケーシング２６が接続されている。ケーシング２６の吐出口２７は、蛇腹状の接続ホース２８及び給気ダクト２９を介して、水槽２の温風入口１２に接続されている。尚、給気ダクト２９は、モータ１８の左側を迂回するように配管している。
【００１７】
そして、接続ホース２３、排気ダクト２４、熱交換ダクト２１、循環用送風機２５のケーシング２６、接続ホース２８、給気ダクト２９及び水槽２の温風出口１１と温風入口１２とを連通接続することにより、水槽２内の空気が循環可能になる循環通路３０が構成される。
【００１８】
又、循環通路３０中に設けられた循環用送風機２５は、ケーシング２６の内部に循環ファン３１を有している。循環ファン３１は、ケーシング２６の外部に配設したモータ３２により回転され、その回転による送風作用で、図中実線矢印で示すように、水槽２内の空気は、循環通路３０を通して水槽２外を流通した後、再び水槽２内に戻される空気の循環が行われる。
【００１９】
循環通路３０中の熱交換ダクト２１の内部には、前部である循環空気の上流側に蒸発器３４が、後部である循環空気の下流側に凝縮器３５が、夫々介在されている。これらの蒸発器３４及び凝縮器３５は、いずれも詳しくは図示しないが、冷媒流通パイプに伝熱フィンを細かいピッチで多数配設して成るフィン付きチューブ形のもので、これを熱交換ダクト２１内に配置したもので、従って、循環空気がそれらの伝熱フィンの各間を後述のように流れることで熱交換が行われる。
【００２０】
又、蒸発器３４及び凝縮器３５は、図２に示す圧縮機３６及び膨張弁（特には電子式の絞り弁もしくはキャピラリチューブ）３７と共にヒートポンプ３８を構成するものである。ヒートポンプ３８は、接続パイプ３９によって、圧縮機３６、凝縮器３５、膨張弁３７、蒸発器３４、及び圧縮機３６の順にこれらをサイクル接続されており（冷凍サイクル）、圧縮機３６が作動することによって冷媒が循環され、洗濯物乾燥用の空気加熱手段として機能する（詳細は後述する）。尚、圧縮機３６は本体１内で熱交換ダクト２１外に配設されている。
【００２１】
又、図１に示すように、循環通路３０の蒸発器３４を配設した部分と凝縮器３５を配設した部分との間の部分である熱交換ダクト２１の中間部の上壁には、本体１内の空気の導入口４０が形成され、一方、本体１の前面板１ｂの下部には、外気の吸気口４１が形成されている。これにより、本体１外（洗濯乾燥機が設置されている室内）の空気は、吸気口４１を介して本体１内に取込まれ、導入口４０から循環通路３０内への空気の導入が容易となる。
【００２２】
導入口４０には、加熱手段として、例えばＰＴＣヒータ４２が装填して設けられている。ＰＴＣヒータ４２は、後述する暖房運転時に導入口４０から循環通路３０内に導入される空気を加熱するためのものである。
【００２３】
本体１の前面板１ｂの吸気口４１のやや上方には、吹出口４３が形成され、循環通路３０と選択的に連通可能な構成としている。具体的には、循環通路３０を構成する熱交換ダクト２１の吸込口２２と蒸発器３４との間の部分から分岐して通風路４４が設けられ、この通風路４４の他端が上記吹出口４３に連通した構成にある。
【００２４】
上記通風路４４と循環通路３０とが分岐する連通部分には、ダンパ装置４５が設けられている。ダンパ装置４５は、具体的には、上端部を支軸４６により上下に回動可能に支持されており、図１では図示しないモータや電磁石等駆動源の動力により回動されて、図１に二点鎖線及び実線で示すように、通風路４４を、循環通路３０に対し連通及び遮断状態に切替える機能を有する。
【００２５】
循環通路３０の蒸発器３４を配設した部分より水槽２側の上流側にあって且つ熱交換ダクト２１の吸込口２２と隣り合う上面の部分には、排気口４７が設けられている。この排気口４７は、ダンパ装置４５が吸込口２２側を閉鎖するとき（通風路４４を開放するとき）に、同時に閉鎖され、吸込口２２を開放するとき（通風路４４を閉鎖するとき）に、同時に開放されるようになっていて、乾燥運転時に循環空気の一部が本体１内に排出されるようにしている。
【００２６】
ここで、排気口４７及び前記導入口４０も含めて、その機能につき説明する。冷凍サイクルの特徴として凝縮器３５の放熱熱量が蒸発器３４の冷却熱量より勝ること、及び洗濯物の乾燥が進むに伴ない循環空気全体が温度上昇するなどにより、冷凍サイクルの冷媒が有する熱量が増して圧力が高まり、圧縮機３６に過負荷がかかるおそれがある。このため、蒸発器３４の上流側に循環空気の一部を排出するために、排気口４７が設けられている。そして、この空気の排出を補うため、本体１内の空気を循環通路３０内に補給する前記導入口４０が設けられている。従って、本実施例における導入口４０は、前記したように暖房運転時の空気の導入の両用途に利用される。
【００２７】
そして、通風路４４の内部には、横流ファンからなる送風ファン４８が設けられている。送風ファン４８は、図中の破線矢印で示すように、ＰＴＣヒータ４２を介して加熱された空気を通風路４４から吹出口４３を経て本体１外へ吹出すものである。この送風ファン４８のすぐ前方には、樹脂材料からなるルーバー４９が設けられている。ルーバー４９は、送風ファン４８に沿う半円弧状をなし、この円弧面の一部に吐出口４９ａが形成されている。そして、ルーバー４９が回動されることにより、送風ファン４８による送風の風向きの変更が行われる。
【００２８】
ここで、本体１の内側の吸気口４１の周縁部には、本体１外から吸気される空気、即ち、室温を検知する温度センサ５０が設けられている。
このほか、給気ダクト２９内には、乾燥運転中の循環通路３０内の空気の温度を検知する温度センサ５１が設けられている。又、本体１内の上部には、電源系の制御部５２と、表示系の制御部５３、給水弁５４、給水ケース５５、給水ホース５６が設けられ、本体１の前面板１ｂの上部には、操作パネル６１が配設されている。
【００２９】
操作パネル６１は、図３の正面図に示すように、操作部６２、表示部６３、ドアロック表示部６４等を有している。図３（ａ）は「冷房」運転状態を示したもので、図３（ｂ）は「暖房」運転状態を示したものである。
【００３０】
操作部６２は、押圧可能に設けたスタート兼一時停止ボタン６５と、このスタート兼一時停止ボタン６５の周囲部分を回動可能に設けた時間設定用のダイヤル６６と、その他押圧可能に設けたスイッチキー群６７（図３では、「洗濯」「洗乾」「乾燥」及び「冷風／温風」の各運転コースに対応したスイッチキー）とから構成されている。そして、スタート兼一時停止ボタン６５を押圧すると、選択された運転コースの開始及び実行中の運転コースの一時停止が行われ、ダイヤル６６を所定角度だけ回動操作すると、その回転量に応じて、冷暖房運転の時間設定を可能としている。
【００３１】
スイッチキー群６７は、押圧されると、押圧したスイッチキーの領域内のライトが点灯する構成である。尚、本実施例では、「冷風／温風」のスイッチキー６７ａの動作につき具体的に説明し、他のスイッチキーの説明は省略する。
【００３２】
即ち、洗濯物の運転を行っていないときに、使用者が「冷風／温風」のスイッチキー６７ａを１回押圧すると、スイッチキー６７ａ内の領域のライト６７ｂが青色に点灯表示し、表示部６３に「ＣＯＯＬ」の文字が点灯表示され、冷房運転（冷風運転）の設定待ち状態になり、その状態でスタート兼一時停止ボタン６５を押圧操作すると、冷房運転が開始され、表示部６３の「ＣＯＯＬ」の文字部分が点灯表示される（図３（ａ）参照）。
【００３３】
一方、冷房運転の設定待ちの状態で、使用者が再び「冷風／温風」のスイッチキー６７ａを１回押圧すると（即ち、「冷風／温風」のスイッチキー６７ａを２回押圧すると）、スイッチキー６７ａ内の領域のライト６７ｂが赤色に点灯表示し、表示部６３に「ＨＯＴ」の文字が点灯表示され、暖房運転（温風運転）の設定待ち状態になる。続いて、使用者がダイヤル６６を所定角度分だけ回動操作して所望の運転時間を設定し、スタート兼一時停止ボタン６５を押圧操作すると、暖房運転が開始される。この暖房運転が行われている間は、表示部６３の「ＨＯＴ」の文字部分は赤色に点灯表示される（図３（ｂ）参照）。
【００３４】
尚、洗濯物の運転を行っているときの表示部６３には、洗剤量、残り時間、予約時刻、現在時刻等の情報が表示されるようになっている。又、ドアロック表示部６４は、扉８がドアロック機構（図示せず）により閉鎖状態でロックされると点灯表示される。又、操作パネル６１には、図示はしないが、他にも電源ボタンや、「洗い」「すすぎ」「脱水」「乾燥」を選択できるボタン等が設けられている。
【００３５】
図４は、概略的に示す電気的構成図で、電源系の制御部５２と表示系の制御部５３とを含む制御装置７１を示している。この制御装置７１は、例えばマイクロコンピュータからなるものであり、洗濯乾燥機の作動全般、例えば、冷暖房運転を含む各種運転コースの制御をはじめ、その他ダンパ装置４５や、冷凍サイクル、循環用送風機２５等の運転を制御する制御手段として機能する。この制御装置７１には、操作パネル６１の操作部６２等から操作信号が入力されると共に、水槽２内の水位を検知するように設けた水位センサ７２から水位検知信号が入力されるようになっており、そして、温度センサ５０及び温度センサ５１からそれぞれ温度検知信号が入力されるようになっている。
【００３６】
制御装置７１は、上記各種信号の入力並びにあらかじめ記憶した制御プログラムに基づいて、モータ１８と、循環用送風機２５、圧縮機３６、膨張弁３７、ダンパ装置４５、ＰＴＣヒータ４２、送風ファン４８、給水弁５４、排水弁１４を、駆動回路７３を介して制御するようになっている。尚、図示はしないが、制御装置７１は、操作パネル６１の操作部６２等にて各種設定操作されると、操作された操作内容に対応した表示を表示部６３に表示し、又、ドアロック表示部６４の点灯等の制御も行う。
【００３７】
更に、制御装置７１には、図６に示すデータ、即ち、温度センサ５０が検知した室温（℃）と所定送風時間（分）のデータが記憶され、それに基づき運転が制御される。尚、所定送風時間とは、暖房後運転終了後に、所定送風時間分だけ送風のみによる送風運転が行われる時間である。例えば、温度センサ５０で検知した室温が１８℃のときは、所定送風時間として「２分」が設定され実行される。
【００３８】
この図６に示された制御内容の根拠は、下記検証によって確認決定したものである。
即ち、ＰＴＣヒータ４２が停止した後に送風された空気の送風時間と、吹出口４３付近の樹脂製部品（例えば、本体１の前面板１ｂ、ルーバー４９）の温度の関係を確認するために、送風時間の経過に伴う吹出口４３付近の温度を測定した。
【００３９】
図７は、その検証結果を示したもので、部品温度が所定温度Ｘ℃（例えば４０℃）以下となるような送風温度を、室温に応じて求めた結果が示されている。上記所定温度Ｘ℃は、部品温度を冷却する温度で、ここでは、４０℃に設定している。これは、部品温度が４０℃以上のとき、使用者が触れて「熱い」と感じる温度であり、依って、所定温度Ｘ℃を４０℃と設定している。しかして図７によれば、室温Ａ（１０℃）の場合には、所定温度Ｘ℃に達するまでの時間は、１分を要することがわかる。又、室温Ｃ（２０℃）の場合には、所定温度Ｘ℃に達するまでの時間は、２分を要することがわかる。同様にして、室温Ｂ（１５℃）では、１．５分、室温Ｄ（２５℃）では、２．５分、室温Ｅ（３０℃）では、３分要することがわかった。
【００４０】
この検証結果に基づき、図６に示す所定送風時間を、室温１０℃以下では１分、室温１５℃以下では１．５分、室温２０℃以下では２分、室温２５℃以下では２．５分、室温２５℃より上では３分と設定し、制御装置７１により制御するようにしたものである。
尚、図５のフロチャートは、以下の作用説明で詳細に説明する。
【００４１】
次に、上記構成の洗濯乾燥機の作用について、特に暖房運転につき詳細に述べる。
上記構成の洗濯乾燥機において、通常の洗濯物の運転を行う場合は、例えば洗濯から乾燥まで行う操作パネル６１の「洗乾」コースのスイッチキーが選択されると、標準的な運転コースが開始される。「洗乾」コースの概略説明をすると、最初に洗濯（洗い及びすすぎ）運転が開始される。この洗濯運転では、給水弁５４にて水槽２内に給水する動作が行われ、続いて、モータ１８が駆動されることにより、ドラム３が低速で正逆両方向に交互に回転される。
【００４２】
洗濯運転が終了すると、次に、脱水運転が開始される。この脱水運転では、水槽２内の水を排出した後、ドラム３を高速で一方向に回転させる動作が行われる。これにより、ドラム３内の洗濯物は遠心脱水される。
【００４３】
脱水運転が終了すると、次に、乾燥運転が実行される。この乾燥運転では、ダンパ装置４５が、図１に実線で示すように、通風路４４を循環通路３０から遮断し、循環通路３０を連通状態に保持される。この状態で、ドラム３を低速で正逆両方向に回転させつつ、循環用送風機２５のモータ３２を駆動させる。すると、循環ファン３１の正回転による送風作用で、循環通路３０内に図１に実線矢印で示すように空気流が生成される。しかるに水槽２内の空気は、温風出口１１から循環通路３０の排気ダクト２４及び接続ホース２３を経て熱交換ダクト２１内に流入する。又、このときに、ヒートポンプ３８の圧縮機３６の作動が開始される。
【００４４】
ヒートポンプ３８の作動により、冷媒が圧縮機３６により圧縮されて高温高圧の冷媒となり、凝縮器３５に流れる。そこで、熱交換ダクト２１内の空気と熱交換し、その結果、熱交換ダクト２１内の空気が加熱され、反対に、冷媒の温度は低下して液化される。この液化された冷媒が、次に膨張弁３７を通って減圧された後、蒸発器３４に流入し気化する。それにより、蒸発器３４は熱交換ダクト２１内の空気を冷却する。蒸発器３４を通過した冷媒は圧縮機３６に戻る。
【００４５】
これにより、前記水槽２内から熱交換ダクト２１内に流入した空気は、蒸発器３４で冷却されて除湿され、その後に凝縮器３５で加熱されて温風化される。そして、その温風が接続ホース２８、給気ダクト２９を経て、温風入口１２から水槽２内に供給され、更に、温風導入孔１７からドラム３内に供給される。
【００４６】
ドラム３内に供給された温風は洗濯物の水分を奪った後、前記温風出口１１から排気ダクト２４及び接続ホース２３を経て熱交換ダクト２１内に流入する。
このようにして、蒸発器３４と凝縮器３５を有する熱交換ダクト２１と水槽２との間を空気（温風）が循環することにより、ドラム３内の洗濯物が乾燥される。
【００４７】
次に、洗濯乾燥機が設置された室内を暖房するため、暖房運転する場合について、特に図１，３，５，６を参照にして説明する。尚、本実施例の暖房運転は、ＰＴＣヒータ４２及び送風ファン４８による温風が吹出口４３から吹出す暖房運転行程と、送風ファン４８のみによる送風の送風運転行程の２つの行程からなっている。
【００４８】
まず、暖房運転を開始するまでの操作手順について図５のフローチャートに沿って、まず図３を参照して説明する。
使用者が操作パネル６１の「冷風／温風」スイッチキー６７ａを２回押圧すると、操作パネル６１の表示部６３には、図３（ｂ）に示すように、「ＨＯＴ」の文字が点灯表示され、スイッチキー６７ａのライト６７ｂが赤色に点灯表示される。そして、使用者がダイヤル６６を回動させてＰＴＣヒータ４２が発熱作動する暖房の運転時間を設定し、スタート兼一時停止ボタン６５を押圧すると、暖房運転が開始されるとともに、扉８がロックされ、ドアロック表示部６４が赤色に点灯表示される。
【００４９】
しかして、制御装置７１は、運転スタート後、図５のフローチャートに示すように、温度センサ５０により室温を検知し（ステップＳ１）、室温に応じた運転時間（所定送風時間）が設定され（ステップＳ２）、この場合、室温２０℃以下を検知し、所定送風時間２分が設定記憶される（図６参照）。そして、ＰＴＣヒータ４２が通電作動し（ステップＳ３）、送風ファン４８を駆動させ（ステップＳ４）、同時に暖房時間のタイマ作動が開始される（ステップＳ５）。この暖房運転行程は、当初ダイヤル６６で設定された所定暖房時間に達するまで行われる（ステップＳ６）。
【００５０】
この暖房運転状態では、制御装置７１は、図１に示すダンパ装置４５を二点鎖線で示すように、通風路４４を循環通路３０側と連通させるように切替え、ルーバー４９の吐出口４９ａを前方に開放させ、送風ファン４８を駆動させて、本体１内の空気を導入口４０から循環通路３０内に導入させ、導入した空気をＰＴＣヒータ４２で温風化して、図１に破線矢印で示すように、蒸発器３４を通過し（この場合、蒸発器３４は非作動状態であり、温風化した空気は冷却されない）、通風路４４から吹出口４３を経て外部に吹出させる。このとき、水槽２やドラム３内の臭気が吹出口４３から放出しないように、制御装置７１は、循環ファン３１を正回転させて、水槽２内を加圧状態に保つことで逆流を防ぎ臭気を閉じ込めるようにしている。この場合、送風ファン４８の風量が低下しないように、循環ファン３１を低速回転に制御する。
【００５１】
そして、図５において、暖房運転が所定暖房時間に達すると（ステップＳ６：ＹＥＳ）、制御装置７１は、ＰＴＣヒータ４２を停止させ（ステップＳ７）、暖房時間のタイマを停止させ（ステップＳ８）、従って、継続して送風ファン４８による送風のみの送風運転を行う。この送風運転では、制御装置７１は、所定送風時間のタイマ作動を開始させるとともに（ステップＳ９）、ステップＳ２で設定された所定送風時間、ここでは２分間に達したか否かを監視する（ステップＳ１０）。この送風運転の間、吹出口４３付近のルーバー４９等の部品は、送風ファン４８の送風で強制的に冷却される。
【００５２】
やがて、所定送風時間２分に達すると（ステップＳ１０：ＹＥＳ）、制御装置７１は、送風ファン４８を停止させ（ステップＳ１１）、所定送風時間のタイマを停止させて（Ｓ１２）、これにより、一連の暖房運転が終了するとともに、２分間の送風運転により、吹出口４３付近の部品温度は、所定温度Ｘ℃たる４０℃以下にまで冷却される。
【００５３】
このように本実施例によれば、次のような効果を奏する。
暖房運転時には、ダンパ装置４５の切替えにより通風路４４を循環通路３０と連通させ、送風ファン４８を駆動して導入口４０から導入した空気をＰＴＣヒータ４２で温風化して通風路４４から吹出口４３を経て外部たる室内に吹出させて暖房運転を行うことができる。
【００５４】
そして、暖房運転終了時に、ＰＴＣヒータ４２を停止し、送風ファン４８による送風のみの送風運転を実行することにより、吹出口４３付近のルーバー４９等の部品は、送風ファン４８の送風で強制的に冷却される。従って、これらの部品を暖房運転終了後できるだけ速やかに冷却することができ、特に樹脂製部品であれば早期劣化等を回避できる。更に、部品の温度が所定温度Ｘ℃（図７参照）以下となる送風運転時間を、室温に応じて予め求めて記憶しておき、制御装置７１により、その所定送風時間に達すると送風運転が停止する設定としたので、送風運転が余剰に行われず、電気代を低減することができる。しかも、部品を速やかに冷却できるので、使用者が触れても熱く感じるようなことはなく、違和感を与えることもない。
【００５５】
又、送風運転中に、循環ファン３１を正回転させて、水槽２やドラム３内の臭気を閉じ込めておくようにしたので、水槽２やドラム３内の臭気が室内に広がることを防止できる。このとき、循環ファン３１を低速回転させ、例えば、その風量を送風ファン４８の風量よりも少なく設定しておくことで、送風ファン４８の風量が低下してしまうことを抑制することができる。
【００５６】
（第２の実施形態）
上記実施例に対し、図８乃至図１２は本発明の第２実施例を示すもので、第１実施例と同一の部分には同一の符号を付して説明を省略し、異なる部分についてのみ述べる。
【００５７】
この第２実施例においては、図８に示すように構成上、送風温度用の温度センサ８１を設けた点で異なる。この温度センサ８１は、暖房運転終了後の送風ファン４８のみの送風運転時における送風温度を検知するもので、循環通路３０と連通する通風路４４付近、例えば、ダンパ装置４５の近傍で、蒸発器３４の上流側に設けられている。この通風路４４付近も暖房運転により温風にさらされ、高温度状態にあり、温度センサ８１はここを流れる送風の温度を検知する。
【００５８】
この温度センサ８１の温度検知信号は、図９に示すように、制御装置７１に入力されるようになっていて、送風温度が所定温度に達したことを検知したとき送風運転を終了するようにしている。即ち、具体的には、図１２に示すように、室温に応じた所定送風温度Ｙ１〜Ｙ５が示されている。送風温度が高温状態から下降し室温（Ａ，Ｂ，Ｃ，Ｄ，Ｅ）に応じた所定送風温度Ｙ１〜Ｙ５に達すると、送風運転は終了する。上記所定送風温度Ｙ１〜Ｙ５とは、暖房後運転終了後に、吹出口４３付近の部品温度が上記第１実施例と同様に所定温度Ｘ℃（４０℃）まで冷やすに必要とする送風温度で、上記室温に応じて設定してある。
【００５９】
従って、図１２からは、吹出口４３付近の部品温度を上記４０℃まで下げるには、室温Ａ（１０℃）の場合には、送風温度が低下して送風温度Ｙ１が１０℃になれば達成することを示しており、この実験にて検証している。又、室温Ｃ（２０℃）の場合には、同様に、送風温度Ｙ３が２０℃になれば達成することを示している。その他も同様に、室温Ｂ（１５℃）の場合には送風温度Ｙ２が１５℃で、室温Ｄ（２５℃）の場合では送風温度Ｙ４が２５℃で、室温Ｅ（３０℃）の場合では送風温度Ｙ５が３０℃で夫々達成することを示している。
【００６０】
この検証結果に基づいて、図１１に示すデータは、所定送風温度が、室温１０℃以下では１０℃以下、室温１５℃以下では１５℃、室温２０℃以下では２０℃、室温２５℃以下では２５℃、室温２５℃より上では３０℃と設定したもので、その所定送風温度を前記温度センサ８１による送風温度の検知に基づき制御装置７１により制御するようにしたものである。
尚、図１０のフローチャートは、以下の作用説明で詳細に説明する。
【００６１】
次に、上記構成の洗濯乾燥機による暖房運転の作用について述べる。
この第２実施例においては、図１０に示すように、ステップＰ１〜Ｐ３を設けた点で異なり、従って、ステップＳ１，３〜８，１１は上記第１実施例と同一内容であること示している。
【００６２】
制御装置７１は、暖房運転スタート後、図１０のフローチャートに示すように、温度センサ５０により室温を検知し（ステップＳ１）、室温に応じた所定送風温度が設定され（ステップＰ１）、この場合、例えば室温２０℃を検知したとき、所定送風温度２０℃が設定記憶される（図１１参照）。
【００６３】
ステップＳ３〜Ｓ８は、第１実施例と同一であるので、説明を省略する。
ステップＳ８で、暖房時間のタイマ作動を停止させて、送風ファン４８による送風のみの送風運転では、制御装置７１は、送風温度を検知し（ステップＰ２）、ステップＰ１で設定された所定送風温度（上記２０℃）に達したか否かを監視する（ステップＰ３）。この送風運転の間、吹出口４３付近のルーバー４９等の部品は、送風ファン４８の送風で強制的に冷却されることになる
やがて、所定送風温度２０℃に達すると（ステップＰ３：ＹＥＳ）、制御装置７１は、送風ファン４８を停止させ（ステップＳ１１）、これにより、一連の暖房運転が終了するとともに、この送風運転により、吹出口４３付近の部品温度は、所定温度Ｘ℃たる４０℃以下にまで冷却される。
【００６４】
上記構成においては、暖房運転終了時に、吹出口４３付近の樹脂製部品が劣化等しない所定温度Ｘ℃（例えば４０℃）以下になるまで送風で強制的に冷却されるので、これらの部品を暖房運転終了後できるだけ速やかに冷却することができ、樹脂製部品の早期劣化等を回避できる。又、人が触れても熱い感触をぬぐい去ることができて、使用者に違和感を与えることはない。
【００６５】
尚、本発明は上記し且つ図面に示す実施形態に限定されず、次のような変形、拡張が可能である。
第１及び第２実施例の洗濯乾燥機において、洗濯乾燥機の使用環境、樹脂製部品の材質等の変更によって、所定送風時間及び所定送風温度を適宜変更しても良い。
【００６６】
第１及び第２実施例の洗濯乾燥機において、暖房時間の設定に代えて暖房運転終了後の送風運転中に、冷凍サイクルを稼動させて、導入口から導入された空気を蒸発器で冷却し、生成された冷風で、吹出口付近の部品を早期に冷却させても良い。この場合、凝縮器で温められた空気は、循環ファンの正回転で水槽内に溜められことが好ましい。
【００６７】
第１及び第２実施例の洗濯乾燥機において、暖房前に室温センサで室温を検知して、室温が所定の室温に達するまで暖房を行うようにしても良い。
第１実施例の洗濯乾燥機において、暖房運転終了後で送風運転開始前に、室温を検知し、送風時間を設定しても良い。
又、本発明はドラム式の洗濯乾燥機に限られず、垂直軸周りの回転軸を有する洗濯乾燥機にも適用できる等、本発明の要旨を逸脱しない範囲内で適宜変更して実施し得る。
【図面の簡単な説明】
【００６８】
【図１】本発明の第１実施例の全体構成を示す縦断側面図
【図２】ヒートポンプのサイクル構成図
【図３】操作パネルの正面図で、（ａ）は冷房運転状態、（ｂ）は暖房運転状態を夫々説明するための図
【図４】電気的構成図
【図５】暖房運転時の制御内容を示すフローチャート
【図６】室温と所定送風時間のデータを示す図
【図７】吹出口付近の温度と送風時間の関係を示す図
【図８】本発明の第２実施例を示す図１相当図
【図９】図４相当図
【図１０】図５相当図
【図１１】室温と所定送風温度のデータを示す図
【図１２】室温に応じた送風温度の温度変化を示す図
【符号の説明】
【００６９】
図面中、１は本体、２は水槽、３はドラム（回転槽）、１１は温風出口（出入口）、１２は温風入口（出入口）、３０は循環通路、３１は循環ファン、３４は蒸発器、３５は凝縮器、３６は圧縮機、３７は膨張弁、３８はヒートポンプ、４０は導入口、４２はＰＴＣヒータ（加熱手段）、４３は吹出口、４４は通風路、４５はダンパ装置、４８は送風ファン、４９はルーバー、７１は制御装置（制御手段）及び５０，８１は温度センサを示す。
【図１】
2009022570.tif 000003
【図２】
2009022570.tif 000004
【図３】
2009022570.tif 000005
【図４】
2009022570.tif 000006
【図５】
2009022570.tif 000007
【図６】
2009022570.tif 000008
【図７】
2009022570.tif 000009
【図８】
2009022570.tif 000010
【図９】
2009022570.tif 000011
【図１０】
2009022570.tif 000012
【図１１】
2009022570.tif 000013
【図１２】
2009022570.tif 000014